(57)【要約】      （修正有）【課題】無線通信システムにおいて、ネットワーク側とユーザ装置との間のキャリアアグリゲーションにおけるセカンダリセルのアクティブ状態の不一致を解消するための再送制御技術を提供する。【解決手段】ユーザ装置と無線信号を通信する信号送受信部１１０と、前記ユーザ装置に割り当てられるプライマリセルとセカンダリセルとを管理するセル管理部１２０と、前記セカンダリセルのアクティブ化命令又は非アクティブ化命令の再送を制御する再送制御部１３０とを有する基地局１００であって、前記再送制御部１３０が所定の終了条件を充足しない間は、前記アクティブ化命令又は非アクティブ化命令が再送超過する度に、前記アクティブ化命令又は非アクティブ化命令を再生成するよう前記信号送受信部１１０に指示し、前記所定の終了条件を充足すると、前記アクティブ化命令又は非アクティブ化命令の再生成を中止するよう前記信号送受信部１１０に指示する。【選択図】図８
2014187426.tif 000002
【特許請求の範囲】
【請求項１】
ユーザ装置と無線信号を通信する信号送受信部と、
前記無線信号を通信するため前記ユーザ装置に割り当てられるプライマリセルとセカンダリセルとを管理するセル管理部と、
前記セカンダリセルをアクティブ化するためのアクティブ化命令及び／又は前記セカンダリセルを非アクティブ化するための非アクティブ化命令の再送を制御するための再送制御手段を管理する再送制御部と、
を有する基地局であって、
前記再送制御手段が所定の終了条件を充足しない間は、前記信号送受信部が送信した前記アクティブ化命令又は前記非アクティブ化命令を指示する制御信号が再送超過する度に、前記再送制御部は、前記アクティブ化命令又は前記非アクティブ化命令を指示する制御信号を再生成するよう前記信号送受信部に指示し、
前記再送制御手段が前記所定の終了条件を充足すると、前記再送制御部は、前記アクティブ化命令又は前記非アクティブ化命令の再指示を中止するよう前記信号送受信部に指示する基地局。
【請求項２】
前記再送制御手段は、所定の期間を有する再送タイマであり、
前記再送制御部は、前記信号送受信部が前記アクティブ化命令又は前記非アクティブ化命令を前記ユーザ装置に新規に送信することに応答して前記再送タイマを起動し、
前記再送制御部は、前記再送タイマが満了しない間は、前記肯定応答の送達確認を受信しなかったことに応答して、前記アクティブ化命令又は前記非アクティブ化命令を指示する制御信号を再生成するよう前記信号送受信部に指示する、請求項１記載の基地局。
【請求項３】
前記ユーザ装置への前記アクティブ化命令及び／又は前記非アクティブ化命令の送信にＡＲＱ（Ａｕｔｏｍａｔｉｃ  Ｒｅｐｅａｔ  ｒｅＱｕｅｓｔ）又はＨＡＲＱ（Ｈｙｂｒｉｄ  ＡＲＱ）が適用される場合、前記再送制御部は、前記再送タイマが満了しない間は、前記ＡＲＱ又は前記ＨＡＲＱにおいて設定されている最大再送回数を超過しても前記命令に対して送達確認が取れない場合、前記アクティブ化命令又は前記非アクティブ化命令を指示する制御信号を再生成するよう前記信号送受信部に指示する、請求項２記載の基地局。
【請求項４】
前記セル管理部は、複数のセカンダリセルを前記ユーザ装置に割当て、
前記再送制御部が前記複数のセカンダリセルの第１セカンダリセルに対する前記アクティブ化命令又は前記非アクティブ化命令の再送を制御している間に、前記セル管理部が前記複数のセカンダリセルの第２セカンダリセルのアクティブ状態を変更すると、前記再送制御部は、その後再生成される制御信号に対して前記第２セカンダリセルの状態変更を反映し、前記再送タイマをリセットして再起動する、請求項２又は３記載の基地局。
【請求項５】
前記信号送受信部が前記アクティブ化命令を送信し、当該アクティブ化命令に対して肯定応答の送達確認を受信しない場合で、前記再送制御部が管理している再送タイマが満了している場合に、当該アクティブ化命令を指示したセカンダリセルをアクティブ状態と見なす、請求項２乃至４何れか一項記載の基地局。
【請求項６】
前記再送制御手段は、所定の回数を有する再送カウンタであり、
前記再送制御部は、前記信号送受信部が前記アクティブ化命令又は前記非アクティブ化命令を前記ユーザ装置に新規に送信することに応答して前記再送カウンタを起動し、
前記再送制御部は、前記再送カウンタが満了しない間は、前記肯定応答の送達確認を受信しなかったことに応答して、前記アクティブ化命令又は前記非アクティブ化命令を指示する制御信号を再生成するよう前記信号送受信部に指示する、請求項１記載の基地局。
【請求項７】
前記ユーザ装置への前記アクティブ化命令及び／又は前記非アクティブ化命令の送信にＡＲＱ（Ａｕｔｏｍａｔｉｃ  Ｒｅｐｅａｔ  ｒｅＱｕｅｓｔ）又はＨＡＲＱ（Ｈｙｂｒｉｄ  ＡＲＱ）が適用される場合、前記再送制御部は、前記再送カウンタが所定の閾値を超過しない間は、前記ＡＲＱ又は前記ＨＡＲＱにおいて設定されている最大再送回数を超過しても前記命令に対して送達確認が取れない場合、前記アクティブ化命令又は前記非アクティブ化命令を指示する制御信号を再生成するよう前記信号送受信部に指示する、請求項６記載の基地局。
【請求項８】
前記セル管理部は、複数のセカンダリセルを前記ユーザ装置に割当て、
前記再送制御部が前記複数のセカンダリセルの第１セカンダリセルに対する前記アクティブ化命令又は前記非アクティブ化命令の再送を制御している間に、前記セル管理部が前記複数のセカンダリセルの第２セカンダリセルのアクティブ状態を変更すると、前記再送制御部は、その後再生成される制御信号に対して前記第２セカンダリセルの状態変更を反映し、前記再送カウンタを再起動する、請求項６又は７記載の基地局。
【請求項９】
前記信号送受信部が前記アクティブ化命令を送信し、当該アクティブ化命令に対して肯定応答の送達確認を受信しない場合で、前記再送制御部が管理している再送カウンタが所定の閾値を超過している場合に、当該アクティブ化命令を指示したセカンダリセルをアクティブ状態と見なす、請求項６乃至８何れか一項記載の基地局。
【請求項１０】
キャリアアグリゲーションによりユーザ装置と通信する基地局における方法であって、
セカンダリセルをアクティブ化するためのアクティブ化命令又は前記セカンダリセルを非アクティブ化するための非アクティブ化命令を送信するステップと、
前記アクティブ化命令及び／又は前記非アクティブ化命令の再送を制御するための再送タイマを起動するステップと、
前記送信したアクティブ化命令又は非アクティブ化命令に対する肯定応答の送達確認を受信するまで、又は前記再送タイマが満了するまで、前記アクティブ化命令及び／又は前記非アクティブ化命令を指示するＭＡＣ  ＣＥの生成を継続するステップと、
を有する方法。
【請求項１１】
キャリアアグリゲーションによりユーザ装置と通信する基地局における方法であって、
セカンダリセルをアクティブ化するためのアクティブ化命令又は前記セカンダリセルを非アクティブ化するための非アクティブ化命令を送信するステップと、
前記アクティブ化命令及び／又は前記非アクティブ化命令の再送を制御するための再送カウンタを起動するステップと、
前記送信したアクティブ化命令又は非アクティブ化命令に対する肯定応答の送達確認を受信するまで、又は前記再送カウンタが所定の閾値を超過するまで、前記アクティブ化命令及び／又は前記非アクティブ化命令を指示するＭＡＣ  ＣＥの生成を継続するステップと、
を有する方法。
【発明の詳細な説明】
【技術分野】
【０００１】
本発明は、無線通信技術に関し、より詳細には、キャリアアグリゲーションを利用した無線通信に関する。
【背景技術】
【０００２】
現在、３ＧＰＰ（３ｒｄ  Ｇｅｎｅｒａｔｉｏｎ  Ｐａｒｔｎｅｒｓｈｉｐ  Ｐｒｏｊｅｃｔ）は、ＬＴＥ（Ｌｏｎｇ  Ｔｅｒｍ  Ｅｖｏｌｕｔｉｏｎ）の次世代の通信規格として、ＬＴＥ−Ａｄｖａｎｃｅｄの標準化を進めている。ＬＴＥ−Ａｄｖａｎｃｅｄシステムでは、ＬＴＥシステムとのバックワードコンパチビリティを確保しつつ、ＬＴＥシステムを上回るスループットを実現するため、キャリアアグリゲーション（Ｃａｒｒｉｅｒ  Ａｇｇｒｅｇａｔｉｏｎ：ＣＡ）技術が導入される。キャリアアグリゲーション技術では、ＬＴＥシステムによりサポートされている２０ＭＨｚの最大帯域幅を有するＬＴＥキャリア（コンポーネントキャリアとも呼ばれる）が基本コンポーネントとして利用され、これら複数のコンポーネントキャリアを同時に用いることによって、より広帯域な通信を実現することが図られている。
【０００３】
キャリアアグリゲーションでは、例えば、図１に示されるようなコンポーネントキャリアの配置が想定される。ケース１では、隣接する２０ＭＨｚの２つの帯域が、キャリアアグリゲーションによって４０ＭＨｚの帯域として利用可能になる。ケース１は、２０ＭＨｚより大きな連続する帯域を確保可能なケースなどに効果的に用いられ、ＬＴＥシステムとのバックワードコンパチビリティを確保しつつ、ＬＴＥシステムを上回るスループットを実現することができる。ケース２では、離間した１０ＭＨｚの２つの帯域が、キャリアアグリゲーションによって２０ＭＨｚの帯域として利用可能になる。ケース２は、事業者への周波数帯域の割当てが断片的である場合などに効果的に用いられ、ＬＴＥシステムとのバックワードコンパチビリティを確保しつつ、ＬＴＥシステムを上回るスループットを実現することができる。
【０００４】
キャリアアグリゲーションでは、ユーザ装置（Ｕｓｅｒ  Ｅｑｕｉｐｍｅｎｔ：ＵＥ）は、複数のコンポーネントキャリアを同時に用いて基地局（ｅｖｏｌｖｅｄ  ＮｏｄｅＢ：ｅＮＢ）と通信することが可能である。キャリアアグリゲーションでは、ユーザ装置との接続性を担保する信頼性の高いプライマリセル（Ｐｒｉｍａｒｙ  Ｃｅｌｌ：ＰＣｅｌｌ）と、プライマリセルに接続中のユーザ装置に追加的に設定されるセカンダリセル（Ｓｅｃｏｎｄａｒｙ  Ｃｅｌｌ：ＳＣｅｌｌ）とが設定される。例えば、図１に示される具体例において、２つのコンポーネントキャリアの一方がプライマリセルに設定され、他方がセカンダリセルに設定されてもよい。
【０００５】
プライマリセルは、ＬＴＥシステムと同様のセルであり、ユーザ装置とネットワークとの間の接続性を担保するためのセルである。すなわち、プライマリセルでは、ユーザ装置は、ＰＤＣＣＨ（Ｐｈｙｓｉｃａｌ  Ｄｏｗｎｌｉｎｋ  Ｃｏｎｔｒｏｌ  Ｃｈａｎｎｅｌ）やＰＤＳＣＨ（Ｐｈｙｓｉｃａｌ  Ｄｏｗｎｌｉｎｋ  Ｓｈａｒｅｄ  Ｃｈａｎｎｅｌ）を受信し、ＰＵＣＣＨ（Ｐｈｙｓｉｃａｌ  Ｕｐｌｉｎｋ  Ｃｏｎｔｒｏｌ  Ｃｈａｎｎｅｌ）、ＰＵＳＣＨ（Ｐｈｙｓｉｃａｌ  Ｕｐｌｉｎｋ  Ｓｈａｒｅｄ  Ｃｈａｎｎｅｌ）及びＰＲＡＣＨ（Ｐｈｙｓｉｃａｌ  Ｒａｎｄｏｍ  Ａｃｃｅｓｓ  Ｃｈａｎｎｅｌ）を送信することが可能である。また、プライマリセルを変更する場合、ユーザ装置は、ハンドオーバを実行する必要がある。
【０００６】
他方、セカンダリセルは、プライマリセルに追加されてユーザ装置に設定されるセルである。セカンダリセルの追加及び削除は、ＲＲＣ（Ｒａｄｉｏ  Ｒｅｓｏｕｒｃｅ  Ｃｏｎｔｒｏｌ）のコンフィギュレーション（Ｃｏｎｆｉｇｕｒａｔｉｏｎ）により実行される。セカンダリセルでは、ユーザ装置は、ＰＵＣＣＨ及びＰＲＡＣＨを送信しない。また、セカンダリセルがユーザ装置に設定された直後は非アクティブ（ｄｅａｃｔｉｖａｔｅ）状態であり、ＭＡＣ（Ｍｅｄｉｕｍ  Ａｃｃｅｓｓ  Ｃｏｎｔｒｏｌ）レイヤにおいてアクティブ化（ａｃｔｉｖａｔｉｏｎ）することで始めて通信可能又はスケジューリング可能となる。このため、設定されたセカンダリセルを通信可能な状態、すなわち、スケジューリング可能な状態にするには、当該セカンダリセルをアクティブ状態に遷移させる必要がある。
【０００７】
現在検討されているＬＴＥ−Ａｄｖａｎｃｅｄシステムでは、セカンダリセルをアクティブ状態及び非アクティブ状態に遷移させるため、図２に示されるように、基地局は、ＭＡＣレイヤにおいてＭＡＣ  ＣＥ（Ｃｏｎｔｒｏｌ  Ｅｌｅｍｅｎｔ）をユーザ装置に送信することによって、設定されたセカンダリをアクティブ化／非アクティブ化するようユーザ装置に指示する。ユーザ装置は、これら明示的な状態移行指示を受信すると、セカンダリセルを指示された状態に遷移させる。
【０００８】
また、セカンダリセルをアクティブ化するためのＭＡＣ  ＣＥを基地局から受信すると、ユーザ装置は、当該セカンダリセルをアクティブ化すると共に、当該セカンダリセルに対するＳＣｅｌｌ  Ｄｅａｃｔｉｖａｔｉｏｎ  Ｔｉｍｅｒを起動する。他方、基地局もまた、ユーザ装置からＭＡＣ  ＣＥに対する肯定応答の送達確認（ＡＣＫ）を受信すると、当該セカンダリセルに対するＳＣｅｌｌ  Ｄｅａｃｔｉｖａｔｉｏｎ  Ｔｉｍｅｒを起動する。すなわち、基地局とユーザ装置とが、各自のＳＣｅｌｌ  Ｄｅａｃｔｉｖａｔｉｏｎ  Ｔｉｍｅｒを保持し、アクティブ化された当該セカンダリセルの状態を管理する。ＳＣｅｌｌ  Ｄｅａｃｔｉｖａｔｉｏｎ  Ｔｉｍｅｒの起動後、基地局が当該セカンダリセルにおいて新規無線リソースをユーザ装置にスケジューリングすると、基地局とユーザ装置とは、各自のＳＣｅｌｌ  Ｄｅａｃｔｉｖａｔｉｏｎ  Ｔｉｍｅｒをリセットして再起動する。その後、ＳＣｅｌｌ  Ｄｅａｃｔｉｖａｔｉｏｎ  Ｔｉｍｅｒが所定の閾値を超過するか、又は基地局から当該セカンダリセルを非アクティブ化するための明示的な状態移行指示を受信すると、ユーザ装置は、当該セカンダリセルを非アクティブ状態に遷移させる。基地局もまた、ユーザ装置から当該セカンダリセルを非アクティブ化したという通知を受信すると、当該セカンダリセルが非アクティブ化されたと判断し、当該セカンダリセルにおけるユーザ装置への無線リソースのスケジューリングをやめる。このようにして、基地局とユーザ装置との間でセカンダリセルのアクティブ状態／非アクティブ状態を一致させることが可能である。
【先行技術文献】
【非特許文献】
【０００９】
【非特許文献１】３ＧＰＰ  ＴＳ  ３６．３２１  Ｖ１１．１．０（２０１２−１２）
【非特許文献２】３ＧＰＰ  ＴＳ  ３６．３３１  Ｖ１１．２．０（２０１２−１２）
【発明の概要】
【発明が解決しようとする課題】
【００１０】
しかしながら、ＭＡＣ  ＣＥによるセカンダリセルのアクティブ化命令（ＳＣｅｌｌ  Ａｃｔｉｖａｔｉｏｎ）又は非アクティブ化命令（ＳＣｅｌｌ  Ｄｅａｃｔｉｖａｔｉｏｎ）を行う場合、ネットワーク側とユーザ装置との間でセカンダリセルの状態不一致が発生する可能性がある。
【００１１】
このようなネットワーク側とユーザ装置との間のセカンダリセルの状態不一致は、例えば、図３に示されるような状況下で生じる。図３に示される具体例では、基地局は、ユーザ装置に設定したセカンダリセルをアクティブ化するため、ＭＡＣ  ＣＥのアクティブ化命令をユーザ装置に送信する。ここで、基地局は、例えば、ＡＲＱ（Ａｕｔｏｍａｔｉｃ  Ｒｅｐｅａｔ  ｒｅＱｕｅｓｔ）やＨＡＲＱ（Ｈｙｂｒｉｄ  ＡＲＱ）などの再送制御を適用しており、ユーザ装置から肯定応答の送達確認（Ａｃｋｎｏｗｌｅｄｇｅｍｅｎｔ：ＡＣＫ）を受信するまで、アクティブ化命令を再送し続ける。当該アクティブ化命令の受信に失敗した場合、ユーザ装置は、基地局に否定応答の送達確認（Ｎｏｎ−Ａｃｋｎｏｗｌｅｄｇｅｍｅｎｔ：ＮＡＣＫ）を送信し、基地局は、ユーザ装置が依然として非アクティブ状態であることを認識する。この場合、基地局とユーザ装置との間で認識されるセカンダリセルの状態は、非アクティブ状態で一致している。
【００１２】
その後、ユーザ装置が当該ＭＡＣ  ＣＥの受信に成功したことに伴ってセカンダリセルをアクティブ化し、基地局にＡＣＫを返送したにもかかわらず、ノイズの影響などによって、基地局が誤ってＮＡＣＫを受信したと認識したとする（ＡＣＫ−＞ＮＡＣＫ誤り）。この場合、ユーザ装置は、当該セカンダリセルがアクティブ状態であると認識する一方、基地局は依然として当該セカンダリセルが非アクティブ状態であると誤認することになり、ユーザ装置と基地局との間でセカンダリセルのアクティブ状態の不一致が生じる。この場合、基地局から無線リソースを割り当てられることはないにもかかわらず、ユーザ装置は、無線リソースの割当てを待機し、不要なバッテリ電力を消費することになる。
【００１３】
一方、ＡＲＱやＨＡＲＱなどの再送制御が適用されているため、ＮＡＣＫを受信したと誤信した基地局は、アクティブ化命令を再送し、誤って発生した状態不一致は以降に解消される。しかしながら、ＡＣＫ−＞ＮＡＣＫ誤りが発生した時点で再送制御が所定の最大再送回数に達していた場合、基地局は、もはやアクティブ化命令を再送せず、状態不一致が持続することになる。
【００１４】
上記問題点に鑑み、本発明の１つの課題は、再送制御が適用される無線通信システムにおいて、ネットワーク側とユーザ装置との間のキャリアアグリゲーションにおけるセカンダリセルのアクティブ状態の不一致を解消するための技術を提供することである。
【課題を解決するための手段】
【００１５】
上記課題を解決するため、本発明の一態様は、ユーザ装置と無線信号を通信する信号送受信部と、前記無線信号を通信するため前記ユーザ装置に割り当てられるプライマリセルとセカンダリセルとを管理するセル管理部と、前記セカンダリセルをアクティブ化するためのアクティブ化命令及び／又は前記セカンダリセルを非アクティブ化するための非アクティブ化命令の再送を制御するための再送制御手段を管理する再送制御部とを有する基地局であって、前記再送制御手段が所定の終了条件を充足しない間は、前記信号送受信部が送信した前記アクティブ化命令又は前記非アクティブ化命令を指示する制御信号が再送超過する度に、前記再送制御部は、前記アクティブ化命令又は前記非アクティブ化命令を指示する制御信号を再生成するよう前記信号送受信部に指示し、前記再送制御手段が前記所定の終了条件を充足すると、前記再送制御部は、前記アクティブ化命令又は前記非アクティブ化命令の再指示を中止するよう前記信号送受信部に指示する基地局に関する。
【発明の効果】
【００１６】
本発明によると、再送制御が適用される無線通信システムにおいて、ネットワーク側とユーザ装置との間のキャリアアグリゲーションにおけるセカンダリセルのアクティブ状態の不一致を解消することが可能になる。
【図面の簡単な説明】
【００１７】
【図１】図１は、キャリアアグリゲーションを概略的に示す図である。
【図２】図２は、ＳＣｅｌｌ  Ｄｅａｃｔｉｖａｔｉｏｎ  Ｔｉｍｅｒの動作例を概略的に示す図である。
【図３】図３は、基地局と移動局との間でアクティブ状態の不一致が生じる具体例を示す概略図である。
【図４】図４は、本発明の一実施例によるアクティブ状態制御を概略的に示す図である。
【図５】図５は、本発明の一実施例による無線通信システムを概略的に示す図である。
【図６】図６は、本発明の第１実施例を概略的に示す図である。
【図７】図７は、本発明の第１実施例を概略的に示す図である。
【図８】図８は、本発明の第１実施例による基地局の構成を示すブロック図である。
【図９】図９は、本発明の第１実施例による基地局における再送処理を示すフロー図である。
【図１０】図１０は、本発明の第２実施例を概略的に示す図である。
【図１１】図１１は、本発明の第２実施例による基地局の構成を示すブロック図である。
【図１２】図１２は、本発明の第２実施例による基地局における再送処理を示すフロー図である。
【発明を実施するための形態】
【００１８】
以下、図面に基づいて本発明の実施の形態を説明する。
【００１９】
後述される本発明の実施例を概略すると、キャリアアグリゲーションをサポートする無線通信システムにおいて、基地局は、ユーザ装置に設定したセカンダリセルを通信可能状態にするため、当該セカンダリセルをアクティブ化するためのアクティブ化命令を当該ユーザ装置に送信する。また、基地局は、ユーザ装置に設定したセカンダリセルを通信不可状態にするため、当該セカンダリセルを非アクティブ化するための非アクティブ化命令を当該ユーザ装置に送信する。さらに、新規のアクティブ化命令又は非アクティブ化命令の送信に応答して、基地局は、送信したアクティブ化命令又は非アクティブ化命令の再送を制御するため再送制御手段（Ｒｅｔｘ−Ｔｉｍｅｒ，Ｒｅｔｘ−Ｃｏｕｎｔｅｒ）を起動する。基地局は、所定の終了条件を充足するまで、送信したアクティブ化命令又は非アクティブ化命令を指示する制御信号が再送超過する度に、アクティブ化命令又は非アクティブ化命令の送信を継続する。所定の終了条件を充足すると、基地局は、アクティブ化命令又は非アクティブ化命令の再指示を中止する。
【００２０】
すなわち、図４に示されるように、基地局は、ユーザ装置に設定したセカンダリセルをアクティブ化するため、ＭＡＣ  ＣＥのアクティブ化命令をユーザ装置に新規に送信する。基地局は、例えば、ＡＲＱやＨＡＲＱなどの再送制御を適用しており、ユーザ装置からＡＣＫを受信するまで、アクティブ化命令を再送し続ける。当該セカンダリセルがアクティブ化するＭＡＣ  ＣＥの受信が成功しなかった場合、ユーザ装置は、基地局にＮＡＣＫを送信し、基地局は、ユーザ装置が非アクティブ状態であると認識する。この場合、基地局とユーザ装置との間で認識されるセカンダリセルの状態は、非アクティブ状態で一致している。
【００２１】
その後、ユーザ装置がＭＡＣ  ＣＥの受信成功にともなってセカンダリセルをアクティブ化し、ＡＣＫを返送したにもかかわらず、ノイズの影響などによって、基地局が誤ってＮＡＣＫを受信したと認識したとする（ＡＣＫ−＞ＮＡＣＫ誤り）。この場合、ユーザ装置は、当該セカンダリセルがアクティブ状態であると認識する一方、基地局は依然として当該セカンダリセルが非アクティブ状態であると誤認することになり、ユーザ装置と基地局との間でセカンダリセルのアクティブ状態の不一致が生じる。本実施例では、適用されているＡＲＱやＨＡＲＱの再送制御が所定の最大再送回数に達していた場合、再送制御手段の起動中はＮＡＣＫの受信に応答して、或いはＤＴＸ（Ｄｉｓｃｏｎｔｉｎｕｏｕｓ  Ｔｒａｎｓｍｉｓｓｉｏｎ）判定に応じて、基地局は、アクティブ化命令を再試行する。すでにアクティブ状態にあるユーザ装置は、受信したアクティブ化命令に対してＡＣＫを送信する。ＡＣＫを受信した基地局は、ユーザ装置がセカンダリセルをアクティブ化したと判断し、状態不一致が解消することになる。
【００２２】
一実施例では、再送制御手段は、所定の期間を有する再送タイマ（Ｒｅｔｘ−Ｔｉｍｅｒ）であり、基地局は、アクティブ化命令又は非アクティブ化命令をユーザ装置に新規に送信することに応答して再送タイマを起動する。所定の期間が経過したことに応答して、すなわち、再送タイマが満了したことに応答して、又はアクティブ化命令又は非アクティブ化命令に対して肯定応答の送達確認を受信したことに応答して、基地局は、アクティブ化命令又は非アクティブ化命令の再試行を終了する。この時、基地局は、再送タイマを停止してもよい。また、ＭＡＣ  ＣＥがＨＡＲＱ再送超過した時点で、再送タイマが満了している場合、当該ＭＡＣ  ＣＥにてアクティブ化を指示していたセカンダリセルについては（例えば、当該セカンダリセルに対して管理している非アクティブタイマの起動・再起動等により）アクティブと見なしてもよい。
【００２３】
他の実施例では、再送制御手段は、所定の回数を有する再送カウンタ（Ｒｅｔｘ−Ｃｏｕｎｔｅｒ）であり、基地局は、アクティブ化命令又は非アクティブ化命令をユーザ装置に新規に送信することに応答して再送カウンタを起動する。起動後、アクティブ化命令又は非アクティブ化命令がＨＡＲＱ再送超過し、再試行される毎に、再送カウンタはインクリメントされる。アクティブ化命令又は非アクティブ化命令を所定の回数だけ再送したことに応答して、すなわち、再送カウンタが所定の閾値を超過したことに応答して、又はアクティブ化命令又は非アクティブ化命令に対して肯定応答の送達確認を受信したことに応答して、基地局は、アクティブ化命令又は非アクティブ化命令の再試行を終了する。この時、再送カウンタはリセットされてもよい。また、ＭＡＣ  ＣＥがＨＡＲＱ再送超過した時点で、再送カウンタが所定の閾値を超過している場合、当該ＭＡＣ  ＣＥにてアクティブ化を指示していたセカンダリセルについては（例えば、当該セカンダリセルに対して管理している非アクティブタイマの起動・再起動等により）アクティブと見なしてもよい。
【００２４】
好ましくは、再送タイマの所定の期間は、ＡＲＱやＨＡＲＱなどの再送制御を最大再送回数実施する期間より長い期間に設定される。これにより、アクティブ化命令及び非アクティブ化命令の再送に関するＡＣＫ−＞ＮＡＣＫ誤りによってユーザ装置と基地局との間でセカンダリセルのアクティブ状態の不一致が生じ、再送制御の最大再送回数に達していたため再送制御では状態不一致を解消できない場合でも、再送制御手段に基づきアクティブ化命令及び非アクティブ化命令の試行を継続することによって、状態不一致を解消することが可能になる。
【００２５】
まず、図５を参照して、本発明の一実施例による無線通信システムを説明する。図５は、本発明の一実施例による無線通信システムを概略的に示す図である。
【００２６】
図５に示されるように、無線通信システム１０は、例えば、ＬＴＥ−Ａｄｖａｎｃｅｄシステムなど、キャリアアグリゲーションを利用した無線通信を実現する無線通信システムである。無線通信システム１０は、基地局（ｅＮＢ）１００と、１以上のユーザ装置（ＵＥ）２００とを有する。ユーザ装置２００は、典型的には、図示されるように、携帯電話、スマートフォン、タブレット、モバイルルータなどの無線通信機能を備えた何れか適切なユーザ装置であってもよい。
【００２７】
基地局１００は、ユーザ装置２００と無線接続することによって、通信接続された上位局やサーバ（図示せず）から受信したダウンリンク（ＤＬ）データをユーザ装置２００に送信すると共に、ユーザ装置２００から受信したアップリンク（ＵＬ）データを上位局（図示せず）に送信する。
【００２８】
図示されるように、基地局１００は、キャリアアグリゲーションを適用し、複数のコンポーネントキャリアを同時に用いて、プライマリセル（ＰＣｅｌｌ）とセカンダリセル（ＳＣｅｌｌ）を介しユーザ装置２００と通信することが可能である。プライマリセルは、ユーザ装置２００との接続性を担保する信頼性の高いプライマリセルであり、セカンダリセルは、プライマリセルに接続中のユーザ装置２００に追加的に設定される。プライマリセルでは、ユーザ装置２００は、ＰＤＣＣＨやＰＤＳＣＨを受信し、ＰＵＣＣＨ、ＰＵＳＣＨ及びＰＲＡＣＨを送信することが可能である。また、プライマリセルを変更する場合、ユーザ装置２００は、ハンドオーバを実行する必要がある。また、セカンダリセルの追加及び削除は、ＲＲＣのコンフィギュレーションにより実行される。セカンダリセルがユーザ装置２００に設定された直後は非アクティブ状態であり、ＭＡＣレイヤにおいてアクティブ化することで始めて当該セカンダリセルにおける通信が可能になる。このため、設定されたセカンダリセルを通信可能な状態、すなわち、スケジューリング可能な状態にするには、当該セカンダリセルをアクティブ状態に遷移させる必要がある。セカンダリセルをアクティブ状態及び非アクティブ状態に遷移させるため、基地局１００は、ＭＡＣレイヤにおいてアクティブ化命令／非アクティブ化命令のＭＡＣ  ＣＥをユーザ装置２００に送信し、設定されたセカンダリをアクティブ化／非アクティブ化するようユーザ装置２００に指示する。ユーザ装置２００は、これら明示的な状態移行指示を受信すると、セカンダリセルを指示された状態に遷移させる。
【００２９】
また、基地局１００は、セカンダリセルに対するアクティブ化命令及び非アクティブ化命令の送信に対して、ＡＲＱやＨＡＲＱなどの再送制御を適用している。すなわち、再送制御では、基地局１００から送信されたアクティブ化命令又は非アクティブ命令に対して、受信を成功した場合（或いは、アクティブ化又は非アクティブ化に成功した場合）、ユーザ装置２００は、基地局１００にＡＣＫを返信し、他方、当該命令の受信に成功しなかった場合（アクティブ化又は非アクティブ化に成功しなかった場合）、ユーザ装置２００は、基地局１００にＮＡＣＫを返信する。基地局１００は、ユーザ装置２００からＡＣＫを受信するまで再送を繰り返す。再送回数が、設定されている最大再送回数を超えると、基地局１００は再送を終了する。
【００３０】
基地局１００は、典型的なハードウェア構成では、プロセッサなどのＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）などのメモリ装置、ハードディスク装置などの補助記憶装置、無線信号を通信するための通信装置、上位局、外部のサーバ、オペレータなどと各種データ及び／又は指示をやりとりするためのインタフェース装置などから構成される。例えば、後述される基地局１００の各機能及び処理は、通信装置及び／又はインタフェース装置を介し補助記憶装置に格納されているデータやプログラムをメモリ装置にロードし、ロードされたプログラムに従ってＣＰＵがデータを処理することによって実現される。
【００３１】
次に、図６〜９を参照して、本発明の第１実施例による基地局を説明する。第１実施例では、図６に示されるように、基地局１００は、所定の期間を有する再送タイマ（Ｒｅｔｘ−Ｔｉｍｅｒ）を利用し、適用されているＡＲＱやＨＡＲＱなどの再送制御において設定されている最大再送回数に達した場合で、再送タイマが満了していない場合、アクティブ化命令及び非アクティブ化命令を指示するＭＡＣ  ＣＥをユーザ装置２００に再度生成して、送信する。アクティブ化命令又は非アクティブ化命令に対して肯定応答の送達確認（ＡＣＫ）を受信すると、基地局１００は、再送タイマを停止する。他方、図７に示されるように、所定の期間が経過するまで、又はアクティブ化命令又は非アクティブ化命令に対してＡＣＫを受信するまで、基地局１００は、アクティブ化命令又は非アクティブ化命令の再生成を継続する。再送制御の最大再送回数を超過した時点で、再送タイマが満了している場合、基地局１００は、アクティブ化命令及び非アクティブ化命令の再試行を断念する。これにより、最大再送回数に達したとしても再送タイマが満了していない間は、基地局１００は、ＡＣＫを受信するまでアクティブ化命令又は非アクティブ化命令を行うＭＡＣ  ＣＥの生成を継続する。この結果、図３に関して上述したようなＡＣＫ−＞ＮＡＣＫ誤りによる基地局１００とユーザ装置２００との間のセカンダリセルのアクティブ状態不一致を解消することができる。
【００３２】
図８は、本発明の第１実施例による基地局の構成を示すブロック図である。図８に示されるように、基地局１００は、信号送受信部１１０、セル管理部１２０及び再送制御部１３０を有する。本実施例では、再送制御部１３０は、再送制御手段として再送タイマ１３１を利用する。
【００３３】
信号送受信部１１０は、ユーザ装置２００と無線信号を通信する。キャリアアグリゲーションでは、信号送受信部１１０は、プライマリセル及び／又はセカンダリセルを介しデータ信号及び／又は制御信号から構成される無線信号をユーザ装置２００とやりとりする。例えば、信号送受信部１１０は、ユーザ装置２００からの要求に応答してサーバから提供されたデータを無線信号に変換し、要求元のユーザ装置２００に送信する。また、信号送受信部１１０は、ユーザ装置２００と無線通信するのに必要なスケジューリング情報や各種シグナリングなどの制御情報を無線信号に変換し、ユーザ装置２００に送信する。また、信号送受信部１１０は、割り当てられたプライマリセル及び／又はセカンダリセルの無線リソースを利用してユーザ装置２００がデータ信号を送信すると、受信したデータ信号を送信先のサーバに転送する。また、割り当てられたプライマリセル及び／又はセカンダリセルの無線リソースを利用してユーザ装置２００が制御信号を送信すると、信号送受信部１１０は、受信した制御信号を以降の通信に利用したり、及び／又は上位局に転送する。
【００３４】
セル管理部１２０は、無線信号を通信するためユーザ装置２００に割り当てられるプライマリセルとセカンダリセルとを管理する。プライマリセル（ＰＣｅｌｌ）は、ユーザ装置２００との接続性を担保する信頼性の高いセルであり、プライマリセルを変更する場合にはユーザ装置２００はハンドオーバを実行する必要がある。セカンダリセル（ＳＣｅｌｌ）は、プライマリセルに追加されてユーザ装置２００に設定されるセルである。セカンダリセルの追加及び削除は、ＲＲＣのコンフィギュレーションにより行われる。
【００３５】
セカンダリセルは、ＲＲＣのコンフィギュレーションによりユーザ装置２００に設定された直後は、非アクティブ状態である。このため、設定されたセカンダリセルを通信可能な状態、すなわち、スケジューリング可能な状態にするには、当該セカンダリセルをアクティブ状態に遷移させる必要がある。ＬＴＥ−Ａｄｖａｎｃｅｄシステムでは、セカンダリセルをアクティブ状態及び非アクティブ状態に遷移させるため、基地局１００は、それぞれＭＡＣレイヤにおいてアクティブ化命令及び非アクティブ化命令のＭＡＣ  ＣＥをユーザ装置２００に送信することによって、ユーザ装置２００をアクティブ状態／非アクティブ状態に遷移させる。
【００３６】
さらに、当該アクティブ化命令及び非アクティブ化命令を基地局１００から受信すると、ユーザ装置２００は、当該セカンダリセルをアクティブ化すると共に、自らのＳＣｅｌｌ  Ｄｅａｃｔｉｖａｔｉｏｎ  Ｔｉｍｅｒを起動する。他方、基地局１００もまた、ユーザ装置２００からアクティブ化命令及び非アクティブ化命令に対する肯定応答の送達確認（ＡＣＫ）を受信すると、自らのＳＣｅｌｌ  Ｄｅａｃｔｉｖａｔｉｏｎ  Ｔｉｍｅｒを起動する。すなわち、基地局１００とユーザ装置２００とが、各自のＳＣｅｌｌ  Ｄｅａｃｔｉｖａｔｉｏｎ  Ｔｉｍｅｒを保持し、アクティブ化された当該セカンダリセルの状態を管理する。ＳＣｅｌｌ  Ｄｅａｃｔｉｖａｔｉｏｎ  Ｔｉｍｅｒの起動後、セル管理部１２０が当該セカンダリセルにおいて新規無線リソースをユーザ装置２００にスケジューリングすると、セル管理部１２０とユーザ装置２００とは、各自のＳＣｅｌｌ  Ｄｅａｃｔｉｖａｔｉｏｎ  Ｔｉｍｅｒをリセットして再起動する。その後、ＳＣｅｌｌ  Ｄｅａｃｔｉｖａｔｉｏｎ  Ｔｉｍｅｒが所定の閾値を超過するか、又は当該セカンダリセルに対する明示的な非アクティブ化命令がユーザ装置２００に送信されると、ユーザ装置２００は、当該セカンダリセルを非アクティブ状態に遷移させ、セル管理部１２０もまた、当該非アクティブ化命令に対するＡＣＫを受信することによって当該セカンダリセルが非アクティブ化されたと認識し、当該セカンダリセルにおけるユーザ装置２００へのスケジューリングをやめる。
【００３７】
再送制御部１３０は、セカンダリセルをアクティブ化するためのアクティブ化命令及び／又はセカンダリセルを非アクティブ化するための非アクティブ化命令の再送を制御するための再送制御手段を管理する。再送制御手段が所定の終了条件を充足しない間は、信号送受信部１１０が送信したアクティブ化命令又は非アクティブ化命令を指示する制御信号が再送超過する度に、再送制御部１３０は、アクティブ化命令又は非アクティブ化命令を再生成するよう信号送受信部１１０に指示する。再送制御手段が所定の終了条件を充足すると、再送制御部１３０は、アクティブ化命令又は非アクティブ化命令の再指示を中止するよう信号送受信部１１０に指示する。
【００３８】
第１実施例では、再送制御手段は、所定の期間を有する再送タイマ１３１である。再送制御部１３０は、信号送受信部１１０がアクティブ化命令又は非アクティブ化命令をユーザ装置２００に新規に送信することに応答して再送タイマ（Ｒｅｔｘ−Ｔｉｍｅｒ）１３１を起動する（例えば、Ｒｅｔｘ−Ｔｉｍｅｒ＝０）。再送タイマ１３１の起動後、送信したアクティブ化命令又は非アクティブ化命令に対してユーザ装置２００からＡＣＫを受信できなかった場合、再送制御部１３０は、再送タイマ１３１が満了しているか確認し、再送タイマ１３１が満了していない場合、アクティブ命令又は非アクティブ命令を指示するＭＡＣ  ＣＥを再生成するよう信号送受信部１１０に指示する。すなわち、再送タイマ１３１が満了するまで、再送制御部１３０は、ＡＣＫが受信できなかったことに応答して再送を継続する。ここで、ユーザ装置２００からＡＣＫを受信できなかった場合とは、例えば、送信したアクティブ化命令又は非アクティブ化命令に対してユーザ装置２００からＮＡＣＫを受信した場合、又はユーザ装置２００から所定の時間を超過してもＡＣＫ及びＮＡＣＫの何れも受信できなかった場合を意味する。
【００３９】
他方、所定の期間が経過して再送タイマが満了したことに応答して、又は信号送受信部１１０が送信したアクティブ化命令又は非アクティブ化命令に対して肯定応答の送達確認（ＡＣＫ）を受信したことに応答して、再送制御部１３０は、アクティブ化命令又は非アクティブ化命令を指示するＭＡＣ  ＣＥの生成を終了する。すなわち、第１実施例による再送タイマ１３１の終了条件は、所定の期間が経過して再送タイマ１３１が満了したことと、送信したアクティブ化命令又は非アクティブ化命令に対してＡＣＫを受信したことである。
【００４０】
上記の再送制御から理解されるように、再送制御部１３０は、ＡＲＱやＨＡＲＱなどの再送制御が適用されている場合であっても、セカンダリセルのアクティブ化命令及び非アクティブ化命令の送信に対しては、再送タイマ１３１に基づき再送制御を行う。好ましくは、再送タイマ１３１の所定の期間は、ＡＲＱやＨＡＲＱなどの再送制御における最大再送回数にかかる時間より長い期間に設定される。ユーザ装置２００へのアクティブ化命令及び／又は非アクティブ化命令の送信については、再送制御部１３０は、ＡＲＱやＨＡＲＱなどの再送制御において設定されている最大再送回数を超過してもＡＣＫを受信できなかった場合、再送タイマ１３１が満了しない間は、アクティブ化命令又は非アクティブ化命令を指示するＭＡＣ  ＣＥを再生成するよう信号送受信部１１０に指示する。
【００４１】
一実施例では、セル管理部１２０は、２以上のセカンダリセルをユーザ装置２００に設定し、これらのセカンダリセルを用いてユーザ装置２００と通信する。この場合、複数のセカンダリセルの何れかのセカンダリセルをアクティブ化又は非アクティブ化するため、当該セカンダリセルに対するアクティブ化命令又は非アクティブ化命令をユーザ装置２００に送信する際、基地局１００は、送信対象となるセカンダリセルだけでなく、ユーザ装置２００に設定されているその他のセカンダリセルに対してもアクティブ化命令又は非アクティブ化命令のＭＡＣ  ＣＥを送信しなければならないことが標準仕様に規定されている。例えば、他のセカンダリセルのうちすでにアクティブ状態にあるセカンダリセルに対しては、セル管理部１２０は、アクティブ状態を維持させるためにアクティブ化命令をユーザ装置２００に送信するよう信号送受信部１１０に指示するようにしてもよい。他方、他のセカンダリセルのうちすでに非アクティブ状態にあるセカンダリセルに対しては、セル管理部１２０は、非アクティブ状態を維持させるために非アクティブ化命令をユーザ装置２００に送信するよう信号送受信部１１０に指示するようにしてもよい。
【００４２】
一方、送信対象となるセカンダリセルにアクティブ化命令又は非アクティブ化命令の送信を開始して再送タイマ１３１が起動している間に、他の何れかのセカンダリセルのアクティブ状態を変更する必要が生じ、且つ、再送中のＭＡＣ  ＣＥが再送超過した場合、再送制御部１３０は、当該他のセカンダリセルの状態の変更を次回のＭＡＣ  ＣＥに反映して送信する。このように以前と異なるアクティブ化命令又は非アクティブ化命令が送信される場合、再送制御部１３０は、起動中の再送タイマ１３１を再起動するようにしてもよい（Ｒｅｔｘ−Ｔｉｍｅｒ＝０）。すなわち、再送制御部１３０が送信対象となるセカンダリセルに対するアクティブ化命令又は非アクティブ化命令の再送を制御している間に、セル管理部１２０が他のセカンダリセルのアクティブ状態を変更すると、再送制御部１３０は、再送タイマ１３１をリセットして再起動してもよい。これにより、アクティブ化命令又は非アクティブ化命令の直近の送信に対応して再送タイマ１３１の期間を再設定することが可能になる。
【００４３】
図９は、本発明の第１実施例による基地局における再送処理を示すフロー図である。当該再送処理は、例えば、基地局１００が、ユーザ装置２００に設定したセカンダリセルを通信可能状態又は通信不可状態にしようとする際に開始される。
【００４４】
図９に示されるように、ステップＳ１０１において、基地局１００は、当該セカンダリセルをアクティブ化又は非アクティブ化するためのアクティブ化命令又は非アクティブ化命令をユーザ装置２００に送信する。このアクティブ化命令及び非アクティブ化命令は、ＭＡＣ  ＣＥとして送信される。
【００４５】
ステップＳ１０２において、基地局１００は、所定の期間を有する再送タイマ１３１を起動する。ＡＲＱやＨＡＲＱなどの再送制御が適用されている場合、好ましくは、再送タイマ１３１の所定の期間は、ＡＲＱやＨＡＲＱなどの再送制御における最大再送回数にかかる期間より長い期間に設定される。
【００４６】
ステップＳ１０３において、基地局１００は、送信したアクティブ化命令又は非アクティブ化命令に対して、ユーザ装置２００から肯定応答の送達確認（ＡＣＫ）を受信したか判定する。ユーザ装置２００からＡＣＫを受信した場合（Ｓ１０３：Ｙ）、基地局１００は、ユーザ装置２００が当該セカンダリセルのアクティブ化に成功したと判断し、ステップＳ１０４において再送タイマ１３１を終了し、再送処理を終了する。他方、ＮＡＣＫを受信したり、所定の期間内に応答を受信できなかったなど、ユーザ装置２００からＡＣＫを受信しなかった場合（Ｓ１０３：Ｎ）、基地局１００は、ユーザ装置２００が当該セカンダリセルのアクティブ化に失敗したと判断し、ステップＳ１０５に移行する。
【００４７】
ステップＳ１０５において、基地局１００はさらに、再送タイマ１３１が満了したか判定する。再送タイマ１３１が満了している場合（Ｓ１０５：Ｙ）、基地局１００は、ステップＳ１０４において再送タイマ１３１を終了し、再送処理を終了する。他方、再送タイマ１３１が満了していない場合（Ｓ１０５：Ｎ）、基地局１００は、ステップＳ１０６に移行する。
【００４８】
ステップＳ１０６において、基地局１００は、アクティブ化命令又は非アクティブ化命令を指示するＭＡＣ  ＣＥを再生成してユーザ装置２００に送信し、ステップＳ１０３に戻って上述した各ステップを繰り返す。なお、ＡＲＱやＨＡＲＱなどの再送制御が適用されている場合、基地局１００は、再送制御の最大再送回数を超過しても、再送タイマ１３１が満了するまで又はユーザ装置２００からＡＣＫを受信するまで、再送を繰り返す。
【００４９】
次に、図１０〜１２を参照して、本発明の第２実施例による基地局を説明する。第２実施例では、図１０に示されるように、基地局１００は、所定の回数を有する再送カウンタ（Ｒｅｔｘ−Ｃｏｕｎｔｅｒ）を利用し、ＡＲＱやＨＡＲＱなどの再送制御において設定されている最大再送回数に達していても、再送カウンタが所定の回数に達していない場合、アクティブ化命令及び非アクティブ化命令を指示するＭＡＣ  ＣＥをユーザ装置２００に送信し続ける。すなわち、基地局１００は、アクティブ化命令又は非アクティブ化命令をユーザ装置２００に新規に送信することに応答して再送カウンタを起動する（Ｒｅｔｘ−Ｃｏｕｎｔｅｒ＝０）。図１０に示されるように、所定の回数に達するまで、又はアクティブ化命令又は非アクティブ化命令に対してＡＣＫを受信するまで、基地局１００は、アクティブ化命令又は非アクティブ化命令の再送を継続する。このように、最大再送回数に達したとしても、基地局１００は、ＡＣＫを受信するまでアクティブ化命令又は非アクティブ化命令を指示するＭＡＣ  ＣＥの生成を継続する。この結果、図３に関して上述したようなＡＣＫ−＞ＮＡＣＫ誤りによる基地局１００とユーザ装置２００との間のセカンダリセルのアクティブ状態不一致を解消することができる。最終的に、再送制御の最大再送回数を超過すると共に、再送カウンタが所定の回数に達すると、基地局１００は、アクティブ化命令及び非アクティブ化命令の再試行を断念する。
【００５０】
図１１は、本発明の第２実施例による基地局の構成を示すブロック図である。図１１に示されるように、基地局１００は、信号送受信部１１０、セル管理部１２０及び再送制御部１３０を有する。本実施例では、再送制御部１３０は、再送制御手段として再送カウンタ１３２を利用する。第２実施例による信号送受信部１１０及びセル管理部１２０は、第１実施例と同様であるため、重複する説明は省略する。
【００５１】
第２実施例では、再送制御手段は、所定の回数を有する再送カウンタ１３２である。再送制御部１３０は、信号送受信部１１０がアクティブ化命令又は非アクティブ化命令をユーザ装置２００に新規に送信することに応答して再送カウンタ（Ｒｅｔｘ−Ｃｏｕｎｔｅｒ）１３２を起動する（例えば、Ｒｅｔｘ−Ｃｏｕｎｔｅｒ＝０）。再送カウンタの起動後、送信したアクティブ化命令又は非アクティブ化命令に対してユーザ装置２００からＡＣＫを受信できなかった場合、再送制御部１３０は、再送カウンタ１３２が満了したか確認し、再送カウンタ１３２が所定の閾値を超過していない場合、アクティブ命令又は非アクティブ命令を指示するＭＡＣ  ＣＥを再生成するよう信号送受信部１１０に指示すると共に、再送カウンタ１３２をインクリメントする。すなわち、再送カウンタ１３２が満了するまで、再送制御部１３０は、ＡＣＫが受信できなかったことに応答して再送を継続する。ここで、ユーザ装置２００からＡＣＫを受信できなかった場合とは、例えば、送信したアクティブ化命令又は非アクティブ化命令に対してユーザ装置２００からＮＡＣＫを受信した場合、又はユーザ装置２００から所定の時間を超過してもＡＣＫ及びＮＡＣＫの何れも受信できなかった場合を意味する。
【００５２】
他方、所定の回数に達して再送カウンタが所定の閾値を超過したことに応答して、又は信号送受信部１１０が送信したアクティブ化命令又は非アクティブ化命令に対して肯定応答の送達確認（ＡＣＫ）を受信したことに応答して、再送制御部１３０は、アクティブ化命令又は非アクティブ化命令の再送を終了する。すなわち、第２実施例による再送カウンタ１３２の終了条件は、所定の回数に達して再送カウンタ１３２が満了したことと、送信したアクティブ化命令又は非アクティブ化命令に対してＡＣＫを受信したことである。
【００５３】
上記の再送制御から理解されるように、再送制御部１３０は、ＡＲＱやＨＡＲＱなどの再送制御が適用されている場合であっても、セカンダリセルのアクティブ化命令及び非アクティブ化命令の送信に対しては、再送カウンタ１３２に基づきＭＡＣ  ＣＥの再生成制御を行う。ユーザ装置２００へのアクティブ化命令及び／又は非アクティブ化命令の送信については、再送制御部１３０は、再送カウンタ１３２が所定の閾値を超過しない間は、ＡＲＱやＨＡＲＱなどの再送制御において設定されている最大再送回数を超過してもＡＣＫを受信できなかった場合には、アクティブ化命令又は非アクティブ化命令を指示するＭＡＣ  ＣＥを再生成するよう信号送受信部１１０に指示する。
【００５４】
一実施例では、セル管理部１２０は、２以上のセカンダリセルをユーザ装置２００に設定し、これらのセカンダリセルを用いてユーザ装置２００と通信する。この場合、複数のセカンダリセルの何れかのセカンダリセルをアクティブ化又は非アクティブ化するため、当該セカンダリセルに対するアクティブ化命令又は非アクティブ化命令をユーザ装置２００に送信する際、基地局１００は、送信対象となるセカンダリセルだけでなく、ユーザ装置２００に設定されているその他のセカンダリセルに対してもアクティブ化命令又は非アクティブ化命令のＭＡＣ  ＣＥを送信しなければならないことが標準仕様に規定されている。例えば、他のセカンダリセルのうちすでにアクティブ状態にあるセカンダリセルに対しては、セル管理部１２０は、アクティブ状態を維持させるためにアクティブ化命令をユーザ装置２００に送信するよう信号送受信部１１０に指示するようにしてもよい。他方、他のセカンダリセルのうちすでに非アクティブ状態にあるセカンダリセルに対しては、セル管理部１２０は、非アクティブ状態を維持させるために非アクティブ化命令をユーザ装置２００に送信するよう信号送受信部１１０に指示するようにしてもよい。
【００５５】
一方、送信対象となるセカンダリセルにアクティブ化命令又は非アクティブ化命令の送信を開始して再送カウンタ１３２が起動している間に、他の何れかのセカンダリセルのアクティブ状態を変更する必要が生じた場合、再送制御部１３０は、当該他のセカンダリセルの状態の変更を反映したＭＡＣ  ＣＥを送信する。このように以前と異なるアクティブ化命令又は非アクティブ化命令が送信される場合、再送制御部１３０は、起動中の再送カウンタ１３２を再起動するようにしてもよい（Ｒｅｔｘ−Ｃｏｕｎｔｅｒ＝０）。すなわち、再送制御部１３０が送信対象となるセカンダリセルに対するアクティブ化命令又は非アクティブ化命令の再送を制御している間に、セル管理部１２０が他のセカンダリセルのアクティブ状態を変更すると、再送制御部１３０は、再送カウンタ１３２をリセットして再起動してもよい。これにより、アクティブ化命令又は非アクティブ化命令の直近の送信に対応して再送カウンタ１３２の回数を再設定することが可能になる。
【００５６】
図１２は、本発明の第２実施例による基地局における再送処理を示すフロー図である。当該再送処理は、例えば、基地局１００が、ユーザ装置２００に設定したセカンダリセルを通信可能状態又は通信不可状態にしようとする際に開始される。
【００５７】
図１２に示されるように、ステップＳ２０１において、基地局１００は、当該セカンダリセルをアクティブ化又は非アクティブ化するためのアクティブ化命令又は非アクティブ化命令をユーザ装置２００に送信する。このアクティブ化命令及び非アクティブ化命令は、ＭＡＣ  ＣＥとして送信される。
【００５８】
ステップＳ２０２において、基地局１００は、所定の回数を有する再送カウンタ１３２を起動する。
【００５９】
ステップＳ２０３において、基地局１００は、送信したアクティブ化命令又は非アクティブ化命令に対して、ユーザ装置２００から肯定応答の送達確認（ＡＣＫ）を受信したか判定する。ユーザ装置２００からＡＣＫを受信した場合（Ｓ２０３：Ｙ）、基地局１００は、ユーザ装置２００が当該セカンダリセルのアクティブ化に成功したと判断し、ステップＳ２０４において再送カウンタ１３２を終了し、再送処理を終了する。他方、ＮＡＣＫを受信したり、所定の期間内に応答を受信できなかったなど、ユーザ装置２００からＡＣＫを受信しなかった場合（Ｓ２０３：Ｎ）、基地局１００は、ユーザ装置２００が当該セカンダリセルのアクティブ化に失敗したと判断し、ステップＳ２０５に移行する。
【００６０】
ステップＳ２０５において、基地局１００はさらに、再送カウンタ１３２が所定の回数以上であるか判定する。再送カウンタ１３２が所定の回数以上である場合（Ｓ２０５：Ｙ）、基地局１００は、ステップＳ２０４において再送カウンタ１３２を終了し、再送処理を終了する。他方、再送カウンタ１３２が所定の回数以上でない場合（Ｓ２０５：Ｎ）、基地局１００は、ステップＳ２０６に移行する。
【００６１】
ステップＳ２０６において、基地局１００は、アクティブ化命令又は非アクティブ化命令を指示するＭＡＣ  ＣＥを再度生成し、ユーザ装置２００に送信すると共に、再送カウンタ１３２をインクリメントし、ステップＳ２０３に戻って上述した各ステップを繰り返す。なお、ＡＲＱやＨＡＲＱなどの再送制御が適用されている場合、基地局１００は、再送制御の最大再送回数を超過しても、再送カウンタ１３２が満了するまで又はユーザ装置２００からＡＣＫを受信するまで、再生成を繰り返す。
【００６２】
以上、本発明の実施例について詳述したが、本発明は上述した特定の実施形態に限定されるものではなく、特許請求の範囲に記載された本発明の要旨の範囲内において、種々の変形・変更が可能である。
【符号の説明】
【００６３】
１０  無線通信システム
１００  基地局
１１０  信号送受信部
１２０  セル管理部
１３０  再送制御部
１３１  再送タイマ
１３２  再送カウンタ
２００  ユーザ装置
【図１】
2014187426.tif 000003
【図２】
2014187426.tif 000004
【図３】
2014187426.tif 000005
【図４】
2014187426.tif 000006
【図５】
2014187426.tif 000007
【図６】
2014187426.tif 000008
【図７】
2014187426.tif 000009
【図８】
2014187426.tif 000010
【図９】
2014187426.tif 000011
【図１０】
2014187426.tif 000012
【図１１】
2014187426.tif 000013
【図１２】
2014187426.tif 000014